(57)【要約】      （修正有）【課題】一組みの防振ゴムの使い方により各種高さおよび各種防振効果の異なる防振ゴムを提供する。【解決手段】分離自在な一対の第１ゴム１、第２ゴム２の重ね合わせ体よりなり、第１ゴム１および第２ゴム２の各一方の平面に高台形波部３、３ａを形成し、他方の平面にその振幅より小さな振幅で且つ、それに直交する低台形波部６、６ａを設け、各ゴムの平面の中央にボルト貫通孔７を形成する。そして、第１ゴム１の高台形波部３と第２ゴム２の高台形波部３ａとは振幅が互いに半ピッチ位置ずれするとともに、第１ゴム１の低台形波部６と第２ゴム２の低台形波部６ａとも互いに整合し且つ、波の位相が半ピッチ位置ずれする。【選択図】図１
0003152851.tif 000002
【実用新案登録請求の範囲】
【請求項１】
機器(11)と基面(10)との間に介装される防振ゴムであって、
分離自在な一対の第１ゴム板(1) および第２ゴム板(2) の重ね合わせ体よりなり、
その第１ゴム板(1) および第２ゴム板(2) の各一方の平面に振幅h1の大きな台形波状の高台形波部(3) (3a)がそれぞれ形成され、
その第１ゴム板(1) および第２ゴム板(2) の各他方の平面に、前記高台形波部(3) (3a)の振幅h1より小なる振幅h2で且つ、その高台形波部(3) (3a)の波の稜線(4)に直交する稜線(5)を有する低台形波部(6)(6a)が形成され、
それらの平面の中央部にボルト貫通孔(7) がそれぞれ形成され、
第１ゴム板(1) の高台形波部(3) と第２ゴム板(2) の高台形波部(3a)とは、互いに整合し且つ、その波の振幅が互いに半ピッチ位置ずれすると共に、第１ゴム板(1) の低台形波部(6)と第２ゴム板(2)の低台形波部(6a)とも、互いに整合し且つ、その波の位相が互いに半ピッチ位置ずれして、
第１ゴム板(1) の高台形波部(3) に第２ゴム板(2) の高台形波部(3a)を嵌着したとき、両ゴム板(1) (2)の周縁が互いに整合すると共に、
第１ゴム板(1) の低台形波部(6)に第２ゴム板(2) の低高台形波部(6a)を嵌着したときも、両ゴム板(1) (2) の周縁が互いに整合し且つ、両ゴム板(1) (2) の前記ボルト孔(7) が整合するように構成された一組の防振ゴム。
【考案の詳細な説明】
【技術分野】
【０００１】
本考案は、機器の下端等をコンクリート基面等にボルトを介して設置するとき、機器と基面との間に介装される防振ゴムに関する
【背景技術】
【０００２】
従来の防振ゴムは、設置される機器の各種仕様に応じてゴムの高さ、形状、その他を設計していた。
【考案の概要】
【考案が解決しようとする課題】
【０００３】
各種機器の重量、その他に応じて防振ゴムの形状や高さその他を設計することは、多くの手間と費用がかかり合理的ではない。
そこで本発明は、一組の防振ゴムの使い方により各種高さおよび各種防振効果を選択できる汎用性の高いものを提供することを課題とする。
【課題を解決するための手段】
【０００４】
請求項１に記載の本考案は、機器(11)と基面(10)との間に介装される防振ゴムであって、
分離自在な一対の第１ゴム板(1) および第２ゴム板(2) の重ね合わせ体よりなり、
その第１ゴム板(1) および第２ゴム板(2) の各一方の平面に振幅h1の大きな台形波状の高台形波部(3) (3a)がそれぞれ形成され、
その第１ゴム板(1) および第２ゴム板(2) の各他方の平面に、前記高台形波部(3) (3a)の振幅h1より小なる振幅h2で且つ、その高台形波部(3) (3a)の波の稜線(4)に直交する稜線(5)を有する低台形波部(6)(6a)が形成され、
それらの平面の中央部にボルト貫通孔(7) がそれぞれ形成され、
第１ゴム板(1) の高台形波部(3) と第２ゴム板(2) の高台形波部(3a)とは、互いに整合し且つ、その波の振幅が互いに半ピッチ位置ずれすると共に、第１ゴム板(1) の低台形波部(6)と第２ゴム板(2)の低台形波部(6a)とも、互いに整合し且つ、その波の位相が互いに半ピッチ位置ずれして、
第１ゴム板(1) の高台形波部(3) に第２ゴム板(2) の高台形波部(3a)を嵌着したとき、両ゴム板(1) (2)の周縁が互いに整合すると共に、
第１ゴム板(1) の低台形波部(6)に第２ゴム板(2) の低高台形波部(6a)を嵌着したときも、両ゴム板(1) (2) の周縁が互いに整合し且つ、両ゴム板(1) (2) の前記ボルト孔(7) が整合するように構成された一組の防振ゴムである。
【考案の効果】
【０００５】
本考案の一組の防振ゴムは、それぞれ高さの異なる高台形波部３と低台形波部６とが第１ゴム１の表面側と裏面側とに互いに直交するように配置される。それと共に第２ゴム２の表面側と裏面側に高台形波部３ａと低台形波部６ａが形成され、第１ゴム１，第２ゴム２の各高台形波部３，３ａが半ピッチ位相を異にし、両者が整合する。また、第１ゴム１，第２ゴム２の各低台形波部６，６ａは、同様に半ピッチ位相がずれし、両者が整合する。
その結果、一対の第１ゴム１、第２ゴム２の組合せ方で、３種類の重ね合わせ高さを得る。それにより機器１１と基礎１０との間の３種類の高さにの隙間に対応でき得る。さらに、各高さごとに機器との間に生じる台形の隙間が異なり、それに基づき弾性変形量を異ならせ、一組の防振ゴムで各種防振効果を選択することができる。
次に、一組の防振ゴムを二組積層することにより、６種の高さに対応すると共に、その６種の各防振効果を選択できる。同様に複数組を積層することにより多数の高さと多数の防振効果を選択できる効果がある。
【図面の簡単な説明】
【０００６】
【図１】本考案の一組の防振ゴムの第一の積層状態を示す斜視図。
【図２】図１のII−II矢視断面図。
【図３】図１の側面図。
【図４】同使用状態を示す横断面説明図。
【図５】本考案の一組の防振ゴムの第２の積層状態を示す斜視図。
【図６】図５の側面図と図３のそれとを並列比較した説明図。
【図７】本考案の一組の防振ゴムのさらに他の積層状態を示す説明図。
【図８】同使用状態を示す横断面説明図
【考案を実施するための形態】
【０００７】
次に、図面に基づいて本考案の実施の形態につき説明する。
図１〜図４は本考案の一組の防振ゴムの第一の積層状態をそれぞれ示すものである。この防振ゴムは第１ゴム１と第２ゴム２とを分離自在に有し、第１ゴム１は上面側において台形波状の低台形波部６が設けられ、その下面側には台形波状の高台形波部３が形成されている。低台形波部６の稜線５と高台形波部３の稜線４とは互いに直交する。そして、第１ゴム１の低台形波部６の振幅ｈ２は高台形波部３の振幅ｈ１より小である。第２ゴム２も、第１ゴム１同様に、一方の面に高台形波部３ａが他方の面に低台形波部６ａが形成され、両者の稜線は直交する。そして、第１ゴム１および第２ゴム２にそれぞれボルト貫通孔７が形成されている。
【０００８】
その第１ゴム１の高台形波部３と第２ゴム２の高台形波部３ａとは、形状が同一で、両者の位相が図３から明らかなように、半ピッチずれている。そして、両高台形波部３，３ａを互いに嵌着したとき、両者はその嵌着面が互いに密着すると共に、その外周が整合し且つ、両者のボルト貫通孔７どうしも整合する。同様に第１ゴム１の低台形波部６と第２ゴム２の低台形波部６ａとは、その形状が同一で両者の位相が半ピッチずれている。
そして図１〜図４のごとく第１ゴム１の高台形波部３と第２ゴム２の高台形波部３ａとを嵌着した組み合わせのとき、その全体高さＨ１が最も低くなる。この状態で図４は基礎１０に機器１１を一組の防振ゴムを介して設置したものである。この基礎１０にはアンカーボルト８が立設され、そのアンカーボルト８に一対の防振ゴムのボルト貫通孔７を挿入し、次いで機器１１のフランジ１１ａを挿通する。そしてナット９により機器１１を基礎１０に防振的に設置したものである。
【０００９】
次に、図５は第１ゴム１の低台形波部６と第２ゴム２の低台形波部６ａとを互いに嵌着した組み合わせである。このとき、第１ゴム１と第２ゴム２の外周は整合すると共にボルト貫通孔７どうしも整合する。このとき、互いに嵌着される低台形波部６、６ａの振幅ｈ２は高台形波部３、３ａの振幅ｈ１より小さいので、全体として図６のごとく、この組み合わせの全体高さＨ２は、高台形波部３、３ａどうしを嵌着したときの全体高さＨ１より高くなる。それと共に、機器11および基面10と 一組の防振ゴムとの間に生じる台形波の隙間高さは図２のそれに比べて高いものとなる。それが故に、図１の組合せよりも図５の組合せのほうが、機器11をより弾性的に支持できる。
【００１０】
次に、図７は第１ゴム１の低台形波部６を、それに直交するように第２ゴム２の高台形波部３ａに載置したものであり、全体の高さＨ３は前記いずれの重ね合わせよりも高いものとなる。この積み重ね状態で機器１１を基礎１０に固定した断面図が図８である。この場合最も大きな弾性変形が可能であり、その分だけ防振効果が高い。
【００１１】
次に、上記いずれの例も一組の防振ゴムのみを重ね合わせたものであるが、これを二組重ね合わせることができる。図３の状態の二組を重ねる場合と、図３の組み合わせと図６組合せとを重ねた場合と、さらには図３と図７との重ね合わせの場合とで、各全体高さがそれぞれ異なる。また図６どうしの組合せ、図７どうしの組合せ、さらに図６と図７との組合せが存在し、二組の防振ゴムを用いた場合には、計６通りの重ね合せが存在し、６通りの防振効果があると共に、６通りの高さに対応できる。同様に３以上の組を積層してもよい。
【符号の説明】
【００１２】
１  第１ゴム
２  第２ゴム
３  高台形波部
3a  高台形波部
４  稜線
５  稜線
６  低台形波部
6a  低台形波部
７  ボルト貫通孔
【００１３】
８  アンカーボルト
９  ナット
10  基面
11  機器
11a  フランジ
h1,h2  振幅
Ｈ１，Ｈ２，Ｈ３  全高さ
【図１】
0003152851.tif 000003
【図２】
0003152851.tif 000004
【図３】
0003152851.tif 000005
【図４】
0003152851.tif 000006
【図５】
0003152851.tif 000007
【図６】
0003152851.tif 000008
【図７】
0003152851.tif 000009
【図８】
0003152851.tif 000010